(57)【要約】【課題】音を用いて情報を提示し、聴覚による確認、識別を可能にして利便性を高めた給湯器のリモコン装置を提供すること。【解決手段】給湯制御部（本体コントローラ６）と連係される、給湯器のリモコン装置であって、設定値の変更時に操作される操作スイッチ（上ボタン１７４、下ボタン１７６等）と、音を発生する発音手段（スピーカ１７０）と、操作スイッチにより設定値が変更されるとき、発音手段に設定値変更を表す第１の報知音を操作スイッチの操作の度に発生させ、操作スイッチによって変更された設定値が予め設定されている基準値に一致したとき、第１の報知音と異なった第２の報知音を発生させる制御手段（ＣＰＵ９０）とを備えた構成である。【選択図】        図５
2004286260.tif 000002
【特許請求の範囲】
【請求項１】
給湯制御部と連係される、給湯器のリモコン装置であって、
設定値の変更時に操作される操作スイッチと、
音を発生する発音手段と、
前記操作スイッチにより前記設定値が変更されるとき、前記発音手段に設定値変更を表す第１の報知音を前記操作スイッチの操作の度に発生させ、前記操作スイッチによって変更された前記設定値が予め設定されている基準値に一致したとき、前記第１の報知音と異なった第２の報知音を発生させる制御手段と、
を備えたことを特徴とする給湯器のリモコン装置。
【請求項２】
前記制御手段は、前記設定値に時刻を割り当て、この時刻が前記操作スイッチによって変更されるとき、特定の時間間隔で前記第１の報知音を前記発音手段に発生させ、前記基準値に相当する時刻に前記時刻が一致したとき、前記第２の報知音を前記発音手段に発生させることを特徴とする請求項１記載の給湯器のリモコン装置。
【請求項３】
前記基準値が標準温度、上限温度又は下限温度であって、前記設定値である設定温度が前記操作スイッチで変更されるとき、その変更の度に前記第１の報知音を発音させ、その設定温度が前記標準温度、前記上限温度又は前記下限温度に一致したとき、前記第２の報知音を発生させることを特徴とする請求項１記載の給湯器のリモコン装置。
【請求項４】
計測手段を備える給湯制御部と連係される、給湯器のリモコン装置であって、
前記給湯器の動作状態や設定情報を表示する表示部と、
前記計測手段に動作を開始させる操作スイッチと、
音を発生する発音手段と、
前記操作スイッチの操作により、前記計測手段に計測を開始させ、前記計測手段の計測値を前記表示部に表示するとともに、前記計測値を報知音に変換して前記発音手段に発生させる制御手段と、
を備えたことを特徴とする給湯器のリモコン装置。
【請求項５】
前記計測手段は、体脂肪率、心拍数又は消費カロリーの何れか１以上の計測機能を備えたことを特徴とする請求項４記載の給湯器のリモコン装置。
【請求項６】
前記制御手段は、複数段階のレベル範囲を設定するとともに、各レベル範囲毎に異なる報知音を割り当て、各レベル範囲に応じてそのレベル範囲を表す前記報知音を前記発音手段に発生させることを特徴とする請求項１、２、３又は４記載の給湯器のリモコン装置。
【請求項７】
前記報知音は、異なる周波数又は発音数で区別されることを特徴とする請求項１、２、３又は４記載の給湯器のリモコン装置。
【請求項８】
前記報知音は、メロディであることを特徴とする請求項１、２、３又は４記載の給湯器のリモコン装置。
【発明の詳細な説明】
【０００１】
【発明の属する技術分野】
本発明は、リモコン操作に対応して音による報知を用いた給湯器のリモコン装置に関する。
【０００２】
【従来の技術】
給湯器にはリモコン装置が設置されているが、このリモコン装置は、ふろ温度、シャワー温度、現在時刻、ふろの沸き上がり予約時刻等を設定することができる。その設定はリモコン装置に設置されたボタン入力等で行われ、その設定状態はリモコン装置の表示部で視覚的に確認することができるが、確認音を併用するものも提案されている。
【０００３】
このリモコン装置に関する特許文献には、次のようなものが存在する。
【特許文献１】
特開２０００−３９１４５号公報
【０００４】
【特許文献２】
特開２００２−２４３２７１号公報
【０００５】
【特許文献３】
特開２００２−４５３４９号公報
【０００６】
特許文献１には給湯機の制御装置として、押したスイッチ毎に音を発生させ、発生音によりスイッチ操作を確認することが開示されている。また、特許文献２には、給湯温度や風呂温度の設定状態を音声で知らせる技術が開示されている。また、特許文献３には体脂肪率測定結果を視覚的に表示するものが開示されている。
【０００７】
【発明が解決しようとする課題】
ところで、特許文献１に開示されている制御装置では押したスイッチを音で知ることができるが、その音で数値変化を知ることができない。また、特許文献２に開示されたものでは、音声記憶容量が必要であり、頻繁な音の発生は耳障りとなる。また、特許文献３に開示された技術は、体脂肪率の測定結果を表示するのみである。このような技術では、めがねを外して入浴する場合、湯気等でリモコン装置の表示部が曇り、表示された数値を認識するにはその曇りを除去する必要がある等、厄介である。
【０００８】
そこで、本発明は、音を用いて情報を提示し、聴覚による確認、識別を可能にして利便性を高めた給湯器のリモコン装置を提供することを目的とする。
【０００９】
【課題を解決するための手段】
上記目的を達成するため、本発明の給湯器のリモコン装置にあっては、給湯制御部（本体コントローラ６）と連係される、給湯器のリモコン装置であって、設定値の変更時に操作される操作スイッチ（上ボタン１７４、下ボタン１７６等）と、音を発生する発音手段（スピーカ１７０）と、前記操作スイッチにより前記設定値が変更されるとき、前記発音手段に設定値変更を表す第１の報知音を前記操作スイッチの操作の度に発生させ、前記操作スイッチによって変更された前記設定値が予め設定されている基準値に一致したとき、前記第１の報知音と異なった第２の報知音を発生させる制御手段（ＣＰＵ９０）とを備えた構成としたものである。
【００１０】
上記目的を達成するには、前記制御手段は、前記設定値に時刻を割り当て、この時刻が前記操作スイッチによって変更されるとき、特定の時間間隔で前記第１の報知音を前記発音手段に発生させ、前記基準値に相当する時刻に前記時刻が一致したとき、前記第２の報知音を前記発音手段に発生させる構成としてもよい。
【００１１】
上記目的を達成するには、前記基準値が標準温度、上限温度又は下限温度であって、前記設定値である設定温度が前記操作スイッチで変更されるとき、その変更の度に前記第１の報知音を発音させ、その設定温度が前記標準温度、前記上限温度又は前記下限温度に一致したとき、前記第２の報知音を発生させる構成としてもよい。
【００１２】
上記目的を達成するため、本発明の給湯器のリモコン装置にあっては、計測手段（給湯・追焚装置本体４）を備える給湯制御部（本体コントローラ６）と連係される、給湯器のリモコン装置であって、前記給湯器の動作状態や設定情報を表示する表示部１６６と、前記計測手段に動作を開始させる操作スイッチ（上ボタン１７４、下ボタン１７６等）と、音を発生する発音手段（スピーカ１７０）と、前記操作スイッチの操作により、前記計測手段に計測を開始させ、前記計測手段の計測値を前記表示部に表示するとともに、前記計測値を報知音に変換して前記発音手段に発生させる制御手段（ＣＰＵ９０）とを備えた構成としたものである。
【００１３】
上記目的を達成するには、前記計測手段は、体脂肪率、心拍数又は消費カロリーの何れか１以上の計測機能を備えた構成としてもよい。
【００１４】
上記目的を達成するには、前記制御手段は、複数段階のレベル範囲を設定するとともに、各レベル範囲毎に異なる報知音を割り当て、各レベル範囲に応じてそのレベル範囲を表す前記報知音を前記発音手段に発生させる構成としてもよい。
【００１５】
上記目的を達成するには、前記報知音は、異なる周波数又は発音数で区別される構成としてもよい。
【００１６】
上記目的を達成するには、前記報知音は、メロディである構成としてもよい。
【００１７】
このリモコン装置では、例えば、給湯温度、時刻設定等の操作に対応する基準音を設定する。また、浴室で表示が見難い状況でも、温度設定時の目安となる。そして、給湯温度では、操作スイッチの例えば、上下スイッチを押すと、第１の報知音を発生させ、例えば、４０℃に変更されると、基準音を表す別の音を発生させる。
【００１８】
また、時刻の設定では、操作スイッチの上下スイッチを押すと、そのスイッチを押す度に第１の報知音を発生し、１時間毎に異なる周波数で第２の報知音を発生させ、正午で基準音となる。また、体脂肪率の測定結果を表示以外にメロディで知らせる。
【００１９】
【発明の実施の形態】
図１は本発明の実施形態に係る給湯器のリモコン装置の概要を示している。
【００２０】
給湯器としての給湯・追焚装置２は、給湯・追焚装置本体４と、給湯制御部を構成する本体コントローラ６とを備え、浴槽８への給湯、シャワーその他の一般給湯を行うとともに、浴槽８内の浴槽水ＢＷの追焚きを行うものである。給湯・追焚装置本体４には給水Ｗが水道管等により導びかれ、給湯要求時、温水ＨＷが給湯管に供給される。また、この給湯・追焚装置本体４と浴槽８の循環口１０との間には循環路１２が往管１４及び戻り管１６で構成され、浴槽８への給湯又は給水はこれら往管１４又は戻り管１６を通じて行われ、浴槽水ＢＷの追焚きには、循環路１２を通じて行われる。本体コントローラ６は給湯や追焚き等の制御を行う手段であり、本体コントローラ６の操作は通信ケーブル１８を通じてリモコン装置２０により行われる。リモコン装置２０は設置場所に応じて例えば、台所リモコン２６、浴室リモコン２４、その他、増設リモコン２２で構成される。
【００２１】
給湯・追焚装置本体４には、例えば、図２に示すように、給湯用熱交換器２８、風呂用熱交換器３０等が設置され、給湯用熱交換器２８にはバーナ３２、風呂用熱交換器３０にはバーナ３４が設置され、各バーナ３２、３４には燃料用ガスＧが供給されるが、この燃料用ガスＧのガス供給管３６には、切替え、調整等の手段として、上流側からガス元弁３８、ガス比例弁４０、給湯ガス弁４２、給湯ガス切替弁４４、ふろガス弁４６が設けられている。各バーナ３２、３４には共通の給気ファン４８が設置され、個別にフレームロッド５０、５２、イグナイタ５３が設置されている。
【００２２】
入水管５４には入水温度センサ５６、給水量センサ５８、熱交換器２８の出湯側管路６０には、熱交温度センサ６２、出湯温度センサ６４、水制御弁６６、熱交換器２８のバイパス管路にはバイパス水制御弁７０、出湯側管路６０と戻り管１６との間の出湯管７２には、注湯電磁弁７４、注水量センサ７６、逆止弁７８、戻り管１６にはポンプ８０、切替弁８２、水位センサ８４、温度センサ８６が設置されている。ポンプ８０にはポンプ流水スイッチ８８が設置され、切替弁８２には切替弁開リミットスイッチ８２Ａ、切替弁閉リミットスイッチ８２Ｂが設置されている。水位センサ８４は戻り管１６に作用する浴槽水ＢＷの圧力により、浴槽水ＢＷの水位を検出する。
【００２３】
本体コントローラ６は、例えば、図３に示すように、制御手段及び演算手段としてＣＰＵ（Ｃｅｎｔｒａｌ  Ｐｒｏｃｅｓｓｉｎｇ  Ｕｎｉｔ  ）９０、記憶手段としてＲＯＭ（Ｒｅａｄ−Ｏｎｌｙ  Ｍｅｍｏｒｙ）９２、ＲＡＭ（Ｒａｎｄｏｍ−Ａｃｃｅｓｓ  Ｍｅｍｏｒｙ）９４、クロック回路９６、送受信回路９８、電源回路１００、インターフェイス回路（Ｉ／Ｆ）１０２、１０４、１０６、１０８、１１０、１１２、１１４、１１６、１１８、１２０、１２２、１２４、アナログ・ディジタル（Ａ／Ｄ）変換回路１２６、１２８、１３０、１３２、１３４、駆動回路１３６、１３８、１４０、１４２、１４４、１４６、１４８、１５０、１５２、１５４、１５６、１５８等が設置され、電源回路１００にはトランス１６０を通じて交流電源が供給される。Ｉ／Ｆ１０２〜１２４は水位センサ８４等の各種センサからの検出信号をＣＰＵ９０側に入力するための手段であり、アナログ・ディジタル変換回路１２６〜１３４は検出信号がアナログ信号の場合にディジタル信号に変換する手段であり、また、駆動回路１３６〜１５８はＣＰＵ９０の出力信号に応じて駆動出力を給湯ガス弁４２等の駆動手段に供給する手段である。
【００２４】
また、リモコン装置２０として浴室リモコン２４には、例えば、図４に示すように、筐体１６２の前面パネル部１６４の表示部１６６が設置され、この表示部１６６の左右及び下側に、運転スイッチ１６８、インターホン装置のスピーカ１７０及びマイクロホン１７２、通話スイッチ１７３、給湯温度設定用の上ボタン１７４、下ボタン１７６、設定ボタン１７８、メニューボタン１８０、開始ボタン１８２、停止ボタン１８４、ふろ自動スイッチ１８６、追焚きスイッチ１８８等が設置されている。また、表示部１６６には、セグメント表示部１９０、省電力表示部１９２、ふろ自動表示部１９４、追焚き表示部１９６等の各種表示部が設定されている。
【００２５】
また、この浴室リモコン２４には、例えば、図５に示すように、制御手段及び演算手段としてＣＰＵ（Ｃｅｎｔｒａｌ  Ｐｒｏｃｅｓｓｉｎｇ  Ｕｎｉｔ  ）２００、記憶手段としてＲＯＭ（Ｒｅａｄ−Ｏｎｌｙ  Ｍｅｍｏｒｙ）２０２、ＲＡＭ（Ｒａｎｄｏｍ−Ａｃｃｅｓｓ  Ｍｅｍｏｒｙ）２０４、クロック回路２０６、音声用ＲＯＭ２０８、タイマー２０９、音声信号変調・データ変換回路２１０、音声データ送受信回路２１２、音声データ変換・復調回路２１４、制御データ送受信回路２１６、インターホン／音声切替回路２１８、音声データ出力回路２２０及びインターフェイス回路（Ｉ／Ｆ）２２１、２２２、２２３、２２４、２２５、２２６、２２７、２２８、２２９、２３０、記述した表示部１６６として駆動回路２３１、表示回路２３２、２３３、２３４、セグメント表示部１９０、省電力表示部１９２、ふろ自動表示部１９４、追焚き表示部１９６等が設置されている。音声信号変調・データ変換回路２１０は、ＣＰＵ２００の指示によりマイクロホン１７２の音声信号をデータ変換して変調する手段であり、その音声データは音声データ送受信回路２１２を通して本体コントローラ６に送信され、他のリモコン２２、２６との通話が行われる。他のリモコン２２、２６や本体コントローラ６からの音声信号は、音声データ送受信回路２１２を通して受信され、音声データ変換・復調回路２１４を通して復調され、スピーカ１７０から音声として出力される。制御データ送受信回路２１６は、浴室リモコン２４と本体コントローラ６との制御データの送受を行う手段である。Ｉ／Ｆ２２１〜２３０は運転スイッチ１６８等の各種スイッチからの操作信号をＣＰＵ２００側に入力するための手段である。
【００２６】
この浴室リモコン２４において、第１及び第２の報知音としての基準音は、音声データとして音声用ＲＯＭ２０８に格納されており、ＣＰＵ２００は、音声ＲＯＭ２０８上の格納アドレスと、ＲＯＭ２０２に格納されている、回数に関するデータを参照し、指定回数に応じて音声データ出力回路２２０に格納アドレス及び出力指示を出力するとともに、インターホン／音声切替回路２１８を音声側に切り替える。音声データ出力回路２２０は指示された音声用ＲＯＭ２０８上のアドレスの音声データを読み込み、音声データとしてインターホン／音声切替回路２１８を経由してスピーカ１７０へ音声信号を出力し、スピーカ１７０から基準音等が発生する。ピッ、ポッ、ファン等の音色、即ち、周波数の異なる音は、異なる音声データとして音声用ＲＯＭ２０８の異なるアドレスに格納されている。そこで、音声の切替えは音声用ＲＯＭ２０８内の格納アドレスを音声データ出力回路２２０に指示することにより切り替えている。また、『ピッ、ピッ、ピッ』というような同音の繰り返しは音声データ出力回路２２０への出力指示を複数回出力することで実現する。
【００２７】
音声用ＲＯＭ２０８における、アドレスと報知音及び音声メッセージの関係の一例を表１に示す。
【００２８】
【表１】
2004286260.tif 000003
【００２９】
この場合、『ピッ』音は例えば、２（ｋＨｚ）、『ポッ』音は例えば、１（ｋＨｚ）の周波数の録音であり、言葉（音声メッセージ）と同等に扱っている。そこで、音質を変更する場合は必要な数だけ事前に音声用ＲＯＭ２０８に記憶しておけばよい。基準音を発生する場合、ＣＰＵ２００は音声データ出力回路２２０へ対しｃ番地を指定し、それをインターホン／音声切替回路２１８を音声側に切り替える。ＣＰＵ２００からの指示を受けると、音声データ出力回路２２０では音声用ＲＯＭ２０８のｃ番地のデータが読み込まれるとともに、それが出力データに変換される。この出力データは、インターホン／音声切替回路２１８に出力され、このとき、インターホン／音声切替回路２１８は音声側に切り替えられているので、スピーカ１７０には基準音が出力される。
【００３０】
禁止音を発する場合、ＣＰＵ２００は音声データ出力回路２２０に対し、音声用ＲＯＭ２０８のａ番地の音を出力する指示を３回行い、その結果、『ピッ』『ピッ』『ピッ』の繰返し音を表すデータが形成され、繰返し音が発せられることになる。
【００３１】
そこで、スイッチ操作を行うと、その信号がＩ／Ｆ２２１〜２３６を経由してＣＰＵ２００に加えられ、ＣＰＵ２００がその入力に対してＲＯＭ２０２内に記憶されたプログラムを実行することで、発生音の選択を行い、音声用ＲＯＭ２０８上の格納アドレスと回数に関するデータをＲＯＭ２０２から読み出し、指定回数回、音声データ出力回路２２０に格納アドレスと出力指示を出力し、同時にインターホン／音声切替回路２１８を音声側に切り替える。この結果、選択された音がスピーカ１７０から出力される。音声データ出力回路２２０は、出力の終了をＣＰＵ２００に通知し、その信号をもとにＣＰＵ２００はインターホン／音声切替回路２１８をインターホン装置側に切り替えることができる。
【００３２】
ところで、インターホン装置のマイクロホン１７２が拾った音は音声信号変調・データ変換回路２１０に加えられ、音声データ送受信回路２１２を経て本体コントローラ６に送信される。また、インターホン装置の相手からの音声は、本体コントローラ６から音声データ送受信回路２１２に受信され、音声データ変換・復調回路２１４、インターホン／音声切替回路２１８を経由してスピーカ１７０に加えられて再生される。
【００３３】
そして、図６は、浴室リモコン２４の表示部１６６の全表示を示している。この全表示において、８の字セグメント表示と「分」は保温時間の表示であり、これは風呂の設定保温時間を表示する。また、８の字セグメント表示と「℃」はふろ温度表示であり、これは、風呂の沸き上げ設定温度を℃で表示する。追焚き表示部１９６側の炎マーク２３８はふろ燃焼表示であり、ふろ燃焼中に表示される。「たし湯」表示は、たし湯運転中に表示される。「ぬるく」表示はぬるく運転中に表示される。ふろ水位表示（水位バー）２４０は風呂の設定水位を表示する。「予約」表示は予約スイッチが「入」のとき表示される。「予約」時刻表示は風呂が沸く時刻を表示する。「現在時刻」表示は現在時刻を表示し、給湯温度の表示は給湯の設定温度を℃で表示する。２４２は給湯燃焼表示としての炎マークであり、給湯燃焼中を表示する。省電力表示部１９２（省電力ランプ）は省電力機能の動作中に点灯する。「ポンプ」表示はポンプ運転中を表示し、「優先」表示は浴室リモコン２４に優先があるときに表示される。メニューバー２４４は現在設定してあるメニューの下へ表示される。
【００３４】
この給湯器のリモコン装置において、操作スイッチとして上ボタン１７４、下ボタン１７６を操作する度に第１の報知音として電子音を発生し、設定値が予め設定されている基準値に一致したとき、第１の報知音と異なった基準音として第２の報知音として電子音を発生する。
【００３５】
この場合、第２の報知音として基準音の発生条件は、例えば、次のように設定される。
【００３６】
（１）  給湯温度変更・・・４０℃が設定されたとき、『基準音』を発する。
（２）  ふろ温度変更・・・４０℃が設定されたとき、『基準音』を発する。
（３）  保温時間変更・・・４時間が設定されたとき、『基準音』を発する。
（４）  ふろ水位変更・・・水位設定：４２ｃｍが設定されたとき、『基準音』を発する。
（５）  水量設定：１８０リットルが設定されたとき、『基準音』を発する。
（６）  現在時刻変更・・・ＰＭ１２：００が設定されたとき、『基準音』を発する。
【００３７】
次に、リモコン装置の操作及び基準音を発する処理動作を図７を参照して説明する。図７は、給湯温度設定モードにおける給湯温度の設定変更を示すフローチャートである。
【００３８】
給湯温度設定モードにおいて、給湯温度変更（蛇口、シャワー等の温度）では、通常モード（他の変更モードに入っていない状態）の場合、上ボタン１７４、下ボタン１７６を押すと、給湯温度を変更することができる（ステップＳ１及びステップＳ２）。即ち、設定変更が可能なとき上ボタン１７４を１回押す毎に給湯設定温度が１段階ずつ高くなり（ステップＳ３）、下ボタン１７６を１回押す毎に給湯設定温度が１段階ずつ低くなる（ステップＳ４）。
【００３９】
上ボタン１７４が押された場合、現在、給湯中か否かを判定し（ステップＳ５）、給湯中の場合には上限値として一定温度例えば、５５℃の設定が可能であり（ステップＳ６）、給湯中でない場合には上限値として一定温度、例えば、６０℃が設定可能である。
【００４０】
現在、設定値が上限値以上か否かを判定し（ステップＳ８）、現在の設定値が上限値以上の場合、禁止音を発生する（ステップＳ１６）。上限値以上でない場合には新設定として一定値、例えば、５０℃以上か否かを判定する（ステップＳ９）。給湯設定温度（優先側）≧５０℃となると、例えば、以下のメッセージを発する（ステップＳ１０）。
【００４１】
『警報予告』（メロディー）
『熱い温度にセットされました。注意して下さい。』
『熱い温度にセットされました。注意して下さい。』を発生させ、現設定を新設定値に変更する（ステップＳ１４）。
【００４２】
また、新設定値が一定値、例えば、５０℃未満の場合には、その設定値が４０℃か否かを判定し（ステップＳ１１）、４０℃の場合には基準音を発生し（ステップＳ１２）、また、４０℃でない場合には基準音でない音『ピッ』を発生させ（ステップＳ１３）、現設定を新設定値に変更する（ステップＳ１４）。
【００４３】
そして、下ボタン１７６が押された場合、新設定値を現設定値の１段階低い値に設定し（ステップＳ４）、その場合、現設定値が一定値例えば、３７℃の場合には禁止音を発生し（ステップＳ１６）、また、現設定値が３７℃以外の場合には新設定値が５０℃以上か否かを判定する（ステップＳ９）。
【００４４】
このように、給湯温度設定モードでは、６０℃（最高位）までくると、その位置のままになる。押し操作する度に、『ピッ』（２ｋＨｚ）音を発する（ステップＳ１３）。６０℃に達している場合には『ピッ・ピッ・ピッ』と受付け禁止音を発する（ステップＳ１６）。
【００４５】
そして、給湯使用中（燃焼中）に、５５℃以下の設定から５５℃より上の設定への変更はできない。もし変更しようとした場合には、禁止音を発することになる。
【００４６】
また、ステップＳ１０において、音声を発声しているとき、さらに上ボタン１７４を押すと、設定温度は上がり、発声が終了し、操作音『ポッ』（１ｋＨｚ）音＋メッセージを発声する。最高温度に達したときは禁止音が優先である。音声発生中に下ボタン１７６を押して５０℃より下の温度になった場合には、音声の発声を停止する。給湯温度調節以外のスイッチが押された場合にも音声の発声を停止する。
【００４７】
そして、給湯設定温度は、例えば、１４通りである。具体的には、３７℃、３８℃、３９℃、４０℃（：標準温度）、４１℃、４２℃、４３℃、４４℃、４５℃、４６℃、４７℃、５０℃、５５℃、６０℃である。
【００４８】
また、設定温度変更が可能なとき、下ボタン１７６を１回押す毎（ステップＳ４）に、給湯温度設定が１段階ずつ低くなる。ただし、３７℃（最低位）までくるとその位置のままになる。押し操作する度に、『ピッ』（２ｋＨｚ）音を発する。３７℃に達している場合には、禁止音を発する（ステップＳ１６）。
【００４９】
また、標準給湯温度である４０℃を選択したとき、『ピッ』（２ｋＨｚ）音ではなく基準音を発する。この場合、基準音＝『ピッ』『ポッ』以外の音を発し、例えば、『ファン』といった報知音を発する。
【００５０】
次に、設定ボタン１７８及び関連内容（設定モード中のモード切替え）について説明する。
【００５１】
押し操作により、ふろ温度、保温時間、ふろ水位（水量）、現在時刻、音量の各設定変更モードに切り替わり、カーソル表示２４６がそれぞれの表示の横に移動する。例えば、図８の（Ａ）はその表示を示す。
【００５２】
ここで、設定ボタン１７８を１回押すと『ポッ』（周波数１ｋＨｚ）音を発し、ボタンを離してからふろ温度の設定変更モードになり、さらにボタンを１回押すと（ここからは押したときが動作の基準）、『ポッ』（周波数１ｋＨｚ）音を発し、保温時間の設定変更モードになる。同様に、１回ずつ設定ボタン１７８を押していくと、ふろ水位設定変更モード、現在時刻設定変更モード、音量設定変更モードの順に変更モードが変化する。
【００５３】
音量設定変更モード中に、設定ボタン１７８を押すか、各モード中にボタン操作が５秒間ないと、変更操作を行った設定に対して『・・・セットされました』を２回、セット終了メッセージ音声を発し、通常モードに戻る。例えば、ふろ温度とふろ水位を変更したときは、『ふろ温度、ふろ水位、セットされました』と音声を発し、通常モードに戻る。
【００５４】
各設定変更モードに入るのは、ふろ温度は設定ボタン１７８を離したとき、その他は設定ボタン１７８を押したときからとし、その時点から１秒後に各モードに入ったことを知らせるメッセージを発する。
【００５５】
また、現在時刻は、現在時刻の設定操作が終了した時点（設定ボタン１７８を押して次の設定変更に移るか、ボタンが押されないで５秒経過したとき）で、設定値でスタートする。
【００５６】
電源投入初回の設定変更は現在時刻から始まり、ふろ水位で終了する。ふろ水位設定変更モード中に設定ボタン１７８を押すと、それまでに変更した設定と合わせ、『・・・セットされました』を２回、セット終了メッセージ音声を発する。
【００５７】
運転スイッチ１６８がＯＦＦ中、アラーム中、メンテモード中、メニューモード中、体脂肪率測定中、身体データ変更中、半身浴データ設定中、予約時刻設定中では、各設定の変更はできない。
【００５８】
次に、ふろ温度設定モードの動作を図９を参照して説明する。図９は、ふろ温度設定モードにおけるふろ温度の設定変更を示すフローチャートである。
【００５９】
通常モード（他の変更モードに入っていない状態）のとき、設定ボタン１７８を押すと、報知音として『ポッ』（周波数１ｋＨｚ）音が発せられ、設定ボタン１７８を放したときに、三角形のカーソル表示２４６（図６）が「ふろ温度」の右側に点灯、表示され、ふろ温度設定表示として「ふろ温度」と「℃」表示が点滅し、その表示開始から所定時間の経過後、例えば、１秒後に音声メッセージとして『ふろ温度です。上下ボタンで入力して下さい。』が２回発せられ（ステップＳ２１）、ふろ温度の設定変更が可能となる。
【００６０】
この処理の後、タイマー２０９（図５）に一定時間例えば、１０秒がセットされ（ステップＳ２２）、ボタン入力があるか否かが判定され（ステップＳ２３）、ボタン入力があった場合には、タイマー２０９に一定時間例えば、５秒がセットされ（ステップＳ２４）、また、ボタン入力がない場合にはタイマー２０９のタイムアップか否かが判定され（ステップＳ２５）、タイムアップでない場合にはボタン入力の判定処理（ステップＳ２３）に戻る。タイマー２０９がタイムアップした場合には『ふろ温度セットされました』との音声メッセージが発せられ（ステップＳ２６）、設定変更処理を終了する。
【００６１】
タイマー２０９に５秒をセットした（ステップＳ２４）後、入力ボタンが操作されたか否かを判定し（ステップＳ２７）、上ボタン１７４を押す度に設定値は１段階ずつ上昇し（ステップＳ２８）、現設定が所定温度例えば、４８℃か否かを判定し（ステップＳ２９）、現設定が４８℃である場合には禁止音を発生し（ステップＳ３０）、現設定が４８℃でない場合には新設定が標準温度例えば、４０℃であるか否かを判定し（ステップＳ３１）、標準温度でない場合には、報知音として『ピッ』音を発し（ステップＳ３２）、標準温度である場合には、報知音として基準音を発し（ステップＳ３３）、現設定を新設定に変更し（ステップＳ３４）、ボタン入力の判定（ステップＳ２３）に戻る。
【００６２】
また、入力ボタンが操作されたか否かを判定し（ステップＳ２７）、下ボタン１７６を押す度に設定値は１段階ずつ下降し（ステップＳ３５）、現設定が所定温度例えば、３７℃か否かを判定し（ステップＳ３６）、現設定が３７℃である場合には禁止音を発生し（ステップＳ３０）、現設定が３７℃でない場合には新設定が標準温度例えば、４０℃であるか否かを判定し（ステップＳ３７）、標準温度でない場合には、報知音として『ピッ』音を発し（ステップＳ３８）、標準温度である場合には、報知音として基準音を発し（ステップＳ３９）、現設定を新設定に変更し（ステップＳ４０）、ボタン入力の判定（ステップＳ２３）に戻る。
【００６３】
以上述べたふろ温度設定モードにおいては、次のような処理が実行される。
【００６４】
「ふろ温度」が点滅しているとき、上ボタン１７４を１回押す毎に、ふろ温度が１段階ずつ高くなる。ただし、４８℃（最高位）までくるとその位置のままになる。押し操作する度に、『ピッ』（２ｋＨｚ）音を発する。４８℃に達している場合には、禁止音を発する。
【００６５】
また、「ふろ温度」が点滅しているとき、下ボタン１７６を１回押す毎に、ふろ温度が１段階ずつ低くなる。ただし、３７℃（最低位）までくるとその位置のままになる。押し操作する度に、『ピッ』（２ｋＨｚ）音を発する。３７℃に達している場合には、禁止音を発する。
【００６６】
また、標準ふろ温度である４０℃を選択したとき、『ピッ』（２ｋＨｚ）音ではなく、基準音を発する。この場合、ふろ温度は、以下の１２通りである。３７〔℃〕／３８〔℃〕／３９〔℃〕／４０〔℃〕（：標準温度）／４１〔℃〕／４２〔℃〕／４３〔℃〕／４４〔℃〕／４５〔℃〕／４６〔℃〕／４７〔℃〕／４８〔℃〕
【００６７】
「ふろ温度」が点滅しているとき、上ボタン１７４、下ボタン１７６が押されないまま、５（１０）秒経過すると点滅が終了し、設定変更操作があったならば、『ふろ温度セットされました。』を２回発し、設定変更モードから通常モードに戻る。一度でも上ボタン１７４、下ボタン１７６が押された場合は所定時間例えば、５秒、一度も押されなかった場合は所定時間例えば、１０秒で通常モードに復帰する。
【００６８】
ふろ温度設定変更モード中に、設定ボタン１７８を押すとセット終了メッセージは発せず、保温時間変更モードに移り、設定変更モードに入れない条件のときはふろ温度の変更はできない。
【００６９】
このような処理は保温時間の設定、ふろ水位の設定及び変更についても同様である。
【００７０】
また、現在時刻の設定変更モードに入ると、『ポッ』（周波数１ｋＨｚ）音を発し、カーソル表示２４６が現在時刻の右に点灯し、時計表示部に「現在時刻」を点滅表示し、ボタンを押した時点から１秒後より『現在時刻です。上下ボタンで入力して下さい。』を２回発し、現在時刻の変更が可能となる。
【００７１】
現在時刻変更モードとなると、上ボタン１７４を１回押すと、『ピッ』（２ｋＨｚ）音を発し、現在時刻が１分ずつ進む。１秒以上押し続けると、０．２５秒の間隔で１０分ずつ現在時刻が進む。その際、分の１の位は切り捨てられる。
【００７２】
１０分単位で変更しているとき、上ボタン１７４を押し続け、開始時の分になったら０．５秒の間隔で３０分ずつ現在時刻が進む。その際、分の１の位は切り捨てられる。
【００７３】
３０分単位で変更しているとき、上ボタン１７４を押し続け、３時間分変更されると０．５秒の間隔で１時間ずつ現在時刻が進む。その際、分は切り捨てられる。
【００７４】
連続で変更しているとき、時刻変更に合わせて『ピッ』（２ｋＨｚ）音を発し、１時間毎（２：００、３：００・・・）に『ポッ』（周波数１ｋＨｚ）音を発し、ＰＭ１２：００になったら基準音を発する。
【００７５】
下ボタン１７６を押すことにより、現在時刻を戻すことができる。方法は進ませる方法と同じである。
【００７６】
「現在時刻」が点滅しているとき、上ボタン１７４、下ボタン１７６が押されないまま、５（１０）秒経過すると点滅が終了し、以前に変更した設定について『・・・、・・・、セットされました。』と音声を発して、設定変更モードから通常モードに戻る。一度でも上ボタン１７４、下ボタン１７６が押された場合は所定時間例えば、５秒、一度も押されなかった場合は所定時間例えば、１０秒で元に戻る。
【００７７】
現在時刻変更モードを終了したとき（設定ボタン１７８を押す、上ボタン１７４、下ボタン１７６が押されないまま、５秒経過）、現在時刻が変更されていれば、本体コントローラ６へ変更された現在時刻を送信する。設定変更モードに入れない条件のときは現在時刻の変更はできない。
【００７８】
以上が基準音を発する詳細操作であるが、基準音を発することにより毎回読み上げるような煩わしさを伴わず、尚かつ音声ＩＣの容量を増やすことなく、現在の設定値の目安が付け易くなり、操作性の向上を図ることができる。
【００７９】
次に、体脂肪率測定の処理を図１０及び図１１を参照して説明する。図１０及び図１１は、体脂肪率測定処理を示している。図１０及び図１１において、Ａ、Ｂ及びＣは、フローチャート間の連結部分を示している。
【００８０】
通常モードから「体脂肪」メニューを選択し、その開始ボタン１８２を入力すると（ステップＳ４１）、機能をＯＮする受付音が発せられ、体脂肪率測定モードに移行し（ステップＳ４２）、『浴槽の外でしばらくお待ち下さい』と音声メッセージが発せられ（ステップＳ４３）、水位の取り込みが行われると（ステップＳ４４）、『ゆっくりと入浴して下さい』との音声メッセージが発せられる（ステップＳ４５）。所定時間として例えば、５秒が経過した後（ステップＳ４６）、個人情報をセットすると（ステップＳ４７）、『肩までつかり体を動かさないで下さい』という音声メッセージが発せられる（ステップＳ４８）。ここで、上昇水位の測定が行われ（ステップＳ４９）、体脂肪率計算処理（ステップＳ５０）、体脂肪率表示（ステップＳ５１）、体脂肪率の測定が完了したか否かの判定処理（ステップＳ５２）を経て、体脂肪率の表示に対応した完了音が発せられる（ステップＳ５３）。再度の測定について、『もう一度測定する場合は１０秒以内に、開始ボタンを押して下さい』『データを変更する場合は設定ボタンを押して下さい』との音声メッセージが発せられ（ステップＳ５４）、開始ボタン１８２の入力（ステップＳ５５）、設定ボタン１７８の入力（ステップＳ５６）の後、所定時間として例えば、１０秒経過の後（ステップＳ５７）、通常モードに復帰する。
【００８１】
この体脂肪率測定処理では、自動保温中に体脂肪動作可能な場合、メニューボタン１８０により「体脂肪」を選択しているとき（「体脂肪」点滅中）、開始ボタン１８２を押すと、機能をＯＮする受付音を発し、「体脂肪」が点滅から点灯に変わり、「体脂肪」の下のメニューバー２４４が点灯、メニューモードが終了し、体脂肪率測定モードになる。この場合、その表示は例えば、図８の（Ｂ）のようになる。他動作中に「体脂肪」をＯＮした場合、今まで表示していたメニューバー２４４が消灯し、「体脂肪」の下に移り、自動保温中以外のときはメニューボタン１８０を押しても「体脂肪」は表示されない。
【００８２】
体脂肪率測定モードに入ると、時計表示部、ＡＭ、ＰＭ表示を消灯し、「体脂肪」表示が点灯し、例えば、０．５秒後に下記メッセージを発し、『浴槽の外でしばらくお待ち下さい』、『浴槽の外でしばらくお待ち下さい』との音声メッセージの後、本体コントローラ６から０点取込みの終了信号が送信されると、下記メッセージを発する。例えば、『発声予告』（メロディー）、『ゆっくりと入浴して下さい。』『ゆっくりと入浴して下さい。』を発した後、例えば、５秒後、下記メッセージを発し、時計表示部の最上位桁に番号０が点滅表示する。そして、『発声予告』（メロディー）、『あなたの番号を上下ボタンで入力して設定ボタンを押して下さい』、『あなたの番号を上下ボタンで入力して設定ボタンを押して下さい』との音声メッセージが発せられ、このとき、上ボタン１７４、下ボタン１７６を押すと、『ピッ』（２ｋＨｚ）音を発し、時計表示部のデータ番号表示が切り替わり、身体データの表示もデータ番号に合わせて記憶されているデータを表示する。表示する身体データは性別と年齢とする。記憶されているデータがない場合は、身体データを無表示にする。このとき、データ番号だけの表示になる。
【００８３】
ここで、上ボタン１７４を押すと、データ番号が０→１→２→３→４→５→０・・・の順で切り替わり、下ボタン１７６を押すと、データ番号が０→５→４→３→２→１→０・・・の順で切り替わる。
【００８４】
身体データが入っているデータ番号の所で設定ボタン１７８を押すと、『ポッ』（１ｋＨｚ）音を発し、表示している番号、身体データが点灯に変わり、『データを変更する場合は、設定ボタンを押して下さい。』を２回発し、身体データ変更モードに入ることもできる。設定ボタン１７８を押さないと５秒後に体積測定に移行する。
【００８５】
身体データが入っていないデータ番号の所で設定ボタン１７８を押すと、表示している番号が点灯に変わり、『設定ボタンを押して、データを入力して下さい。』を２回発し、身体データ入力を促す。
【００８６】
このような条件で設定ボタン１７８を押した場合、体重変更モードとなり、所定時間として例えば、１０秒経過する前に開始ボタン１８２を押すと機能をＯＮする受付音を発し、体脂肪率測定に移行する。体積測定に入ると、以下のメッセージを発声する。例えば、『肩までつかり、体を動かさないで下さい』、『肩までつかり、体を動かさないで下さい』とのメッセージが発せられる。
【００８７】
この場合、表示は、「体積」表示及び時計表示部の最下位桁にまず０を表示し、「ｌ」（リットル）を表示するが、本体コントローラ６より体積データが送信されてきたら、その体積データを時計表示部の下３桁に表示する。そして、体積変化が安定し、５秒の平均データ測定状態に入ると、「体積」「ｌ」時計表示部の体積表示を消灯し、時計表示部の最下位桁に５→４→３→２→１と１秒おきにカウントダウン表示を行い、『発声予告』（メロディー）音を発して、「体積」「ｌ」表示と、時計表示部にホールドされた体積を表示する。
【００８８】
そして、カウントダウン中に体を動かし、上昇水位を取れなかった場合、カウントを５に戻すとともに以下のメッセージを発し、水位の安定を再度待ってからカウントダウンを始める。この場合、音声メッセージとして、『発声予告』（メロディー）、『体を動かさないで下さい』、『体を動かさないで下さい』が発せられ、所定時間の経過後例えば、３秒後、「体積」「ｌ」表示が消え、「％」を表示し、時計表示部の下３桁に体脂肪率を表示する。このとき、１桁と２桁目の間にある、小数点を点灯する。また、３桁目の０は表示しない。この場合、表示は図８の（Ｃ）となる。
【００８９】
このような体脂肪率の範囲に合わせて、体脂肪率測定の完了音を発する回数を変更する。ステップＳ５３では、測定された体脂肪率に対応して次のような完了音が発せられる。
【００９０】
【表２】
2004286260.tif 000004
【００９１】
そして、所定時間経過後、例えば、２秒後、音声メッセージを発する。この音声メッセージは、『発声予告』（メロディー）、『もう一度測定する場合は、１０秒以内に、開始ボタンを押して下さい』、『データを変更する場合は、設定ボタンを押して下さい』、『もう一度測定する場合は、１０秒以内に、開始ボタンを押して下さい』、『データを変更する場合は、設定ボタンを押して下さい』等である。この音声メッセージの発声後、所定時間以内、例えば、１０秒以内に開始ボタン１８２が押されないと、体脂肪率表示を消灯し、通常の時計表示に戻る。１０秒以内に開始ボタン１８２を押すと、体積測定に戻る。１０秒以内に設定ボタン１７８を押すと、身体データ入力モードになる。
【００９２】
このように、測定結果を表示するだけでなく、音で知ることが可能になり、視覚障害者やめがねを外した入浴中においての利便性を高めることができる。体脂肪率測定結果を測定値の範囲毎に音の回数に置き換えて通知する例を示したが、音の回数の代わりに異なるメロディーで通知することも可能である。
【００９３】
また、体脂肪率の測定結果のみならず、心拍数、消費カロリー等、入浴時に測定可能な数値を報知音で通知するようにしてもよい。
【００９４】
【発明の効果】
以上説明したように、本発明によれば、次の効果が得られる。
ａ  数値設定やその値をリモコン表示とともに報知音で告知することができ、報知音によってその設定や変更を知ることができる。
ｂ  同様に、体脂肪率等の測定処理や、その測定結果をその表示とともに報知音で告知することができ、その測定手順や測定結果を音で認識することができる。
ｃ  音声メッセージに報知音を併用させることができ、音声メッセージのみの場合に比較し、表示内容ないし通知内容の認識を高めることができる。
ｄ  視覚的表示、聴覚的表示等、表示の多様性により、利用者の利便性を高めることができる。
【図面の簡単な説明】
【図１】本発明の実施形態に係る給湯器のリモコン装置の概要を示すブロック図である。
【図２】給湯・追焚装置本体の構成を示す図である。
【図３】本体コントローラの構成を示すブロック図である。
【図４】浴室リモコンの表示部の構成を示す図である。
【図５】浴室リモコンの構成を示すブロック図である。
【図６】浴室リモコンの表示部の表示内容を示す図である。
【図７】給湯温度設定モードの給湯温度の設定変更動作を示すフローチャートである。
【図８】表示部の表示内容を示し、（Ａ）はふろ温度設定変更モード中の表示、（Ｂ）は体脂肪率測定開始時の表示、（Ｃ）は体脂肪率測定結果の表示を示している。
【図９】ふろ温度設定モードのふろ温度の設定変更動作を示すフローチャートである。
【図１０】体脂肪率測定の処理を示すフローチャートである。
【図１１】体脂肪率測定の処理を示すフローチャートである。
【符号の説明】
２  給湯・追焚装置（給湯器）
４  給湯・追焚装置本体（計測手段）
６  本体コントローラ（給湯制御部）
２０  リモコン装置
９０  ＣＰＵ（制御手段）
１６６  表示部
１７０  スピーカ（発音手段）
１７４  上ボタン（操作スイッチ）
１７６  下ボタン（操作スイッチ）
【図１】
2004286260.tif 000005
【図２】
2004286260.tif 000006
【図３】
2004286260.tif 000007
【図４】
2004286260.tif 000008
【図５】
2004286260.tif 000009
【図６】
2004286260.tif 000010
【図７】
2004286260.tif 000011
【図８】
2004286260.tif 000012
【図９】
2004286260.tif 000013
【図１０】
2004286260.tif 000014
【図１１】
2004286260.tif 000015
【手続補正書】
【提出日】平成15年4月9日(2003.4.9)
【手続補正１】
【補正対象書類名】図面
【補正対象項目名】図３
【補正方法】変更
【補正の内容】
【図３】
2004286260.tif 000016